(57)【要約】【課題】魚類の棲息場所となる藻類を棘皮動物による食害から保護して、生長を助けることが可能な漁礁ブロックを提供すること。【解決手段】海底に設置される土台部２と、この土台部２上に柱状支持部３を経て支持されていると共に、土台部上面２ａとの間に棘皮動物阻止空間部Ｓを確保していて、海中に浮いた状態を保持可能な藻生育部４とからなる。【選択図】　図１
2004024099.tif 000002
【特許請求の範囲】
【請求項１】
海底に設置される土台部と、この土台部上に柱状支持部を経て支持されていると共に、土台部上面との間に棘皮動物阻止空間部を確保していて、海中に浮いた状態を保持可能な藻生育部とからなることを特徴とする漁礁ブロック。
【請求項２】
藻生育部を、柱状支持部間に横設した上下の線部材で形成してあることを特徴とする請求項１記載の漁礁ブロック。
【請求項３】
藻生育部を、柱状支持部間に横設した網状体で形成してあることを特徴とする請求項１または２記載の漁礁ブロック。
【請求項４】
藻生育部が、藻類の菌が着床された菌着床部を有していることを特徴とする請求項１〜３のいずれか１項記載の漁礁ブロック。
【発明の詳細な説明】
【０００１】
【発明の属する技術分野】
本発明は、海底に設置されて用いられる漁礁ブロックに関する。
【０００２】
【従来の技術】
漁礁ブロックには様々なタイプのものが提案されており、海底に設置されて数ヶ月後には、網籠内の石や貝に着床して生長した藻類が海中に浮遊することで、魚の棲息場所になっている。
ところで、藻類は、この藻類を餌さとしている海胆や海鼠等の棘皮動物により根を食べられてしまうと、当然のことながら生長することができない。
このような棘皮動物による食害の問題は、漁礁としての働きに係わることであるだけに軽視できない事項である。
そして、設置される海底の状態は様々で、水平であったり傾斜していたりしていて一様ではなく、特に傾斜地への施工は、海流という途轍もないパワーを相手にするだけに、流されたりすることの無いように、必要十分な重量まで石詰めされた重石を用いる、或いは、アンカーで固定する等して対応している。
【０００３】
【発明が解決しようとする課題】
解決しようとする課題は、第１には、魚類の棲息場所となる藻類を棘皮動物による食害から保護して、生育を助けることが可能な漁礁ブロックを、第２には、さらに、海水の流れに対する抵抗が少なく、製作面および施工ともに経済的に安価で済み、特に傾斜状の海底に有用な漁礁ブロックを、第３には、さらに、海水の流れに対する抵抗が少なく、製作面および施工ともに経済的に安価で済み、傾斜している海底にも有用な漁礁ブロックを、第４には、さらに、藻類を確実且つ効率良く生育して、魚類の棲息場所を出現させることが可能な漁礁ブロックを提供することにある。
【０００４】
【課題を解決するための手段】
本発明は前記した課題を達成するため、水底に設置される土台部と、この土台部上に柱状支持部を経て支持されていると共に、土台部上面との間に棘皮動物阻止空間部を確保していて、水中に浮いた状態を保持可能な藻生育部とからなることを特徴とする。
また本発明では、藻生育部を、柱状支持部間に横設した上下の線部材で形成してあることを特徴とする。
また本発明では、藻生育部を、柱状支持部間に横設した網状体で形成してあることを特徴とする。
また本発明では、藻生育部が、藻類の菌が着床された菌着床部を有していることを特徴とする。
【０００５】
本発明における土台部は、石詰めされた金網製の篭体、コンクリート製の板状体、コンクリート製の枠状体、金属製の板状体或いは枠状体、これらの各態様のもので、スパイクとしても働く脚部を備えている態様のいずれのものであっても良く、少なくとも重石としての働きを備えている態様のものであれば良い。
柱状支持部は、アングル等の金属製、コンクリート製、木材製、その他の部材でも良く、藻生育部を支持可能な態様のものであれば良い。この柱状支持部の態様としては、１本で藻生育部を支持する態様、複数本で藻生育部を支持する態様のいずれのものであっても良い。
藻生育部は、貝殻が詰め込まれた金網製の篭状体、貝殻および石が詰め込まれた金網製の篭状体、金網体、線部材等の藻の菌が着床して生育可能な部材であれば良く、さらに、これらの各部材に予め藻類の菌が着床された菌着床部を備えてあるものであっても良い。この菌着床部は、前記の各部材に予め藻類の菌を着床して構成した態様のものであっても良いし、或いは、予め藻類の菌を着床した種糸を前記各部材に巻き付ける等して形成したものであっても良い。種糸は天然繊維、合成繊維、金属繊維のいずれであっても良い。
また、藻生育部は、一段タイプのものであっても良いし、上下の複数段タイプのものであっても良い。
【０００６】
【発明の実施の形態】
図１には本発明の漁礁ブロックにおける実施の１形態を例示しており、漁礁ブロック１は、海底に設置される土台部２と、この土台部２上に柱状支持部３を経て支持されていると共に、土台部上面２ａとの間に棘皮動物阻止空間部Ｓを確保して、海水中に浮いた状態を保持可能にしている藻生育部４とで構成してある。
土台部２は、重石として石詰めされた金網製の篭体５からなり、平面視四角形状の土台部上面２ａの四隅には柱状支持部３をそれぞれ立設して、この四方の柱状支持部３で藻生育部４を支持・固定してある。
藻生育部４は、藻の菌が着床可能な菌着床部としての貝殻を網目から抜け落ちないように詰め込みしている金網製の篭体６からなり、この藻生育部４の四隅は、四方の柱状支持部３の上端部３ａ間に支持・固定されていて、藻生育部４の下面４ａと土台部上面２ａとの間に棘皮動物阻止空間部Ｓを確保している。篭体６内における貝殻には、藻類の菌を予め着床させていても良い。
【０００７】
図２には本発明の漁礁ブロックにおける実施の他の１形態を例示しており、構成は前記した図１の態様のものと基本的に同一であるため、共通している構成の説明は省略して、相違する構成について説明する。
藻生育部４は、ワイヤー等の線部材７を柱状支持部３間に上下平行状に横設して形成してあり、四方のそれぞれ上下平行状態を呈している各線部材７には、藻類の菌を予め着床した種糸８を巻き付けてある。
この藻生育部４における上下平行状の線部材７は、漁礁ブロック１が傾斜状の海底Ｇに設置された場合、上位の線部材７と下位の線部材７が上下斜めに相対して位置することになり、上位と下位の各線部材７からそれぞれ藻が上方に向けて伸びる生育環境を整えられる。そして、四方の各線部材７から生長する藻ａで囲まれた魚類棲息空間部Ｓ１が確保されることになる（図２のＢ参照）。
【０００８】
図３には本発明の漁礁ブロックにおける実施の他の１形態を例示しており、構成は前記した図１の態様のものと基本的に同一であるため、共通している構成の説明は省略して、相違する構成について説明する。
藻生育部４は、金網製の網状体９を柱状支持部３間に横設して形成してあり、網面には、藻類の菌を予め着床した種糸８を巻き付けてある。
この漁礁ブロック１が傾斜状の海底Ｇに設置された場合、藻生育部４における網状体９は海底Ｇと平行状の傾斜面を呈して、網状体９下側に、網状体９から上方に向けて生長する藻ａで覆われた魚類棲息空間部Ｓ２が確保されることになる（図２のＢ参照）。
【０００９】
図４には本発明の漁礁ブロックにおける実施の他の１形態を例示しており、構成は前記した図２の態様のものと基本的に同一であるため、共通している構成の説明は省略して、相違する構成について説明する。
藻生育部４は、金網製の網状体９を柱状支持部３上端間に横設してあり、網面には、藻類の菌を予め着床した種糸８を巻き付けてある。
この漁礁ブロック１が傾斜状の海底Ｇに設置された場合、藻生育部４における網状体９は海底Ｇと平行状の傾斜面を呈する一方で、上下平行状の線部材７は、上位の線部材７と下位の線部材７が上下斜めに相対して位置することになり、網状体９および上位と下位の各線部材７からそれぞれ藻が上方に向けて伸びる生育環境を整えられる。そして、四方の各線部材７から生長する藻で囲まれた魚類棲息空間部Ｓ１が確保されると共に、網状体９下側に、網状体９から上方に向けて生長する藻で覆われた魚類棲息空間部Ｓ２が確保されることになる（図４のＢ参照）。
【００１０】
図５には本発明の漁礁ブロックにおける実施の他の１形態を例示しており、構成は前記した図２の態様のものと基本的に同一であるため、共通している構成の説明は省略して、相違する構成について説明する。
土台部２は、重石として石詰めされた金網製の篭体５内に、さらに間伐材１０を収容している。
【００１１】
図６には本発明の漁礁ブロックにおける実施の他の１形態を例示しており、構成は前記した図２の態様のものと基本的に同一であるため、共通している構成の説明は省略して、相違する構成について説明する。
土台部２は、金属製の枠状体１１の四隅からアンカーを兼ねる脚部１２を垂設している。この脚部１２は柱状支持部３と一体に形成している。脚部１２の長さは任意であり、例えば、砂層Ｇ１を突き抜けて岩盤Ｇ２まで到達する長さのものにしても良い。
【００１２】
前記した各態様の漁礁ブロックは実施の一形態を例示しているに過ぎず、これらに限定されるものではない。例えば、図示していないが、図１の態様の漁礁ブロック１における藻生育部４下側の柱状支持部３間に線部材７を横設して形成する、図２の態様の漁礁ブロック１における対角位置の柱状支持部３間に線部材７を付設して形成する等の他の態様がある。
【００１３】
【発明の効果】
Ａ．請求項１により、藻生育部が棘皮動物阻止空間部を経て海中に浮いた状態を維持するため、この藻生育部から生長して、魚類の棲息場所として働くことになる藻類を、棘皮動物による食害から保護することができて、その生長を助けることができる。
Ｂ．請求項２により、さらに、線部材からなる藻生育部は、海水の流れに対する抵抗が少なく、そして、製作面および施工面ともに経済的に安価で済み、特に、藻生育部における上下平行状の線部材は、漁礁ブロックが傾斜状の海底に設置された場合、上位の線部材と下位の線部材が上下斜めに相対して位置することになり、上位と下位の各線部材からそれぞれ藻が上方に向けて伸びる生育環境を整えることができて、傾斜状の海底にも有用である。
Ｃ．請求項３により、さらに、網状体からなる藻生育部は、海水の流れに対する抵抗が少なく、製作面および施工ともに経済的に安価で済み、傾斜している海底にも有用である。
Ｄ．請求項４により、さらに、藻類を確実且つ効率良く生育して、魚類の棲息場所を出現させることができる。
【図面の簡単な説明】
【図１】本発明の漁礁ブロックにおける実施の１形態を例示している斜視図。
【図２】本発明の漁礁ブロックにおける実施の他の１形態を例示しており、（Ａ）は斜視図、（Ｂ）は使用状態の断面図。
【図３】本発明の漁礁ブロックにおける実施の他の１形態を例示しており、（Ａ）は斜視図、（Ｂ）は使用状態の断面図。
【図４】本発明の漁礁ブロックにおける実施の他の１形態を例示しており、（Ａ）は斜視図、（Ｂ）は使用状態の断面図。
【図５】本発明の漁礁ブロックにおける実施の他の１形態を例示している斜視図。
【図６】本発明の漁礁ブロックにおける実施の他の１形態を例示しており、（Ａ）は斜視図、（Ｂ）は使用状態の断面図。
【符号の説明】
１　漁礁ブロック
２　土台部
２ａ　土台部上面
３　柱状支持部
４　藻生育部
４ａ　下面
５、６　篭体
７　線部材
８　種糸
９　網状体
１０　間伐材
１１　枠状体
１２　脚部
Ｇ　海底
Ｇ１　砂層
Ｇ２　岩盤
Ｓ　棘皮動物阻止空間部
Ｓ１、Ｓ２　魚類棲息空間部
ａ　藻
【図１】
2004024099.tif 000003
【図２】
2004024099.tif 000004
【図３】
2004024099.tif 000005
【図４】
2004024099.tif 000006
【図５】
2004024099.tif 000007
【図６】
2004024099.tif 000008